(57)【要約】【課題】小型のチューナユニットを提供する。【解決手段】このチューナユニットは、筐体１と、アンテナ端子Ｔ１，Ｔ２と、地上波デジタル放送受信用チューナ回路３と、衛星デジタル放送受信用チューナ回路４と、複数の外部ピンＰとを備える。アンテナ端子Ｔ１，Ｔ２を直線Ａに沿って１列に配置し、複数の外部ピンＰを直線Ａと平行な直線Ｂに沿って１列に配置する。チューナ回路３の信号はアンテナ端子Ｔ１からＴ２に向かう方向に流れ、チューナ回路４の信号はアンテナ端子Ｔ２からＴ１に向かう方向に流れる。したがって、アンテナ端子Ｔ１，Ｔ２間の間隔を所定の距離に維持しながら小型化できる。【選択図】図１
2010206680.tif 000002
【特許請求の範囲】
【請求項１】
それぞれ第１の放送および第２の放送を受信する第１のチューナ回路および第２のチューナ回路を搭載した基板と、
前記基板を内蔵した筐体と、
前記筐体に設けられ、第１のアンテナからの高周波信号を前記第１のチューナ回路に与えるための第１の端子と、
前記筐体に設けられ、第２のアンテナからの高周波信号を前記第２のチューナ回路に与えるための第２の端子と、
前記筐体に設けられ、外部と前記第１および第２のチューナ回路との間で信号の授受を行なうための複数の第３の端子とを備え、
前記第１および第２の端子は第１の直線に沿って１列に配置され、
前記複数の第３の端子は前記第１の直線と平行な第２の直線に沿って１列に配置され、
前記第１のチューナ回路の信号は前記第１の端子から前記第２の端子に向かう方向に流れ、前記第２のチューナ回路の信号は前記第２の端子から前記第１の端子に向かう方向に流れる、チューナユニット。
【請求項２】
前記第１のチューナ回路は前記基板の一方側表面に配置され、
前記第２のチューナ回路は前記基板の他方側表面に配置されている、請求項１に記載のチューナユニット。
【請求項３】
前記第１の放送は地上波デジタル放送であり、
前記第２の放送は衛星デジタル放送である、請求項１または請求項２に記載のチューナユニット。
【請求項４】
前記第１のチューナ回路はＩＦ信号を出力し、
前記第２のチューナ回路はＩＱ信号を出力する、請求項３に記載のチューナユニット。
【請求項５】
さらに、前記基板に搭載され、前記ＩＦ信号および前記ＩＱ信号をＴＳ信号に変換して前記複数の第３の端子に出力する復調回路を備える、請求項４に記載のチューナユニット。
【発明の詳細な説明】
【技術分野】
【０００１】
この発明はチューナユニットに関し、特に、複数のチューナ回路を備えたチューナユニットに関する。
【背景技術】
【０００２】
従来より、地上波デジタル放送受信用チューナ回路と衛星デジタル放送受信用チューナ回路の両方を備えたチューナユニットがある（たとえば、特許文献１，２参照）。
【０００３】
図９および図１０は、そのようなチューナユニットの概略構成を示す図である。図９および図１０において、このチューナユニットは、長方形の板状の筐体５１と、２つのアンテナ端子Ｔ１，Ｔ２と、複数の外部ピンＰを備える。筐体５１には基板（図示せず）が内蔵されており、基板の表面には、地上波デジタル放送受信用チューナ回路５２と衛星デジタル放送受信用チューナ回路５３が搭載されている。アンテナ端子Ｔ１，Ｔ２は筐体５１の表面の１つの短辺に沿って筐体５１の表面に設けられ、複数の外部ピンＰは筐体５１の表面の１つの長辺に沿って筐体５１の端面に設けられている。
【０００４】
チューナ回路５２は、外部から複数の外部ピンＰを介して与えられた電源電圧および制御信号によって駆動され、地上波デジタル放送受信用アンテナからアンテナ端子Ｔ１を介して与えられた高周波信号をＩＦ（Intermediate Frequency)信号に変換する。ＩＦ信号は、外部ピンＰを介して外部に出力される。
【０００５】
チューナ回路５３は、外部から複数の外部ピンＰを介して与えられた電源電圧および制御信号によって駆動され、衛星デジタル放送受信用アンテナからアンテナ端子Ｔ２を介して与えられた高周波信号をＩＱ信号に変換する。ＩＱ信号は、外部ピンＰを介して外部に出力される。
【０００６】
また、他のチューナユニットでは、図１１に示すように、アンテナ端子Ｔ１，Ｔ２が筐体５１の表面の１つの短辺に沿って筐体５１の端面に設けられている。
【０００７】
図９〜図１１に示した２つのチューナユニットでは、アンテナ端子Ｔ１，Ｔ２は筐体５１の短辺に平行な直線Ａに沿って１列に配置され、複数の外部ピンＰは筐体５１の長辺に平行な直線Ｂに沿って１列に配置されている。直線ＡとＢは上方から見て直交している。また、チューナ回路５２において信号が流れる方向（信号処理方向）Ｃとチューナ回路５２において信号が流れる方向Ｄとは同じ方向（筐体５１の長辺の延在方向）である。
【先行技術文献】
【特許文献】
【０００８】
【特許文献１】特開平５−２６０４８３号公報
【特許文献２】特開２００１−１７７４２４号公報
【発明の概要】
【発明が解決しようとする課題】
【０００９】
近年、チューナ回路５２，５３のＩＣ化が飛躍的に進み、チューナ回路５２，５３のレイアウトに必要なスペースは非常に小さくなった。
【００１０】
しかし、図９〜図１１で示したチューナユニットを同じレイアウトで縮小化すると、２本のアンテナ端子Ｔ１，Ｔ２の間隔が小さくなり、アンテナ端子Ｔ１，Ｔ２へのアンテナ線の接続が困難になる。このため、チューナユニットの小型化にも限度があった。
【００１１】
それゆえに、この発明の主たる目的は、小型のチューナユニットを提供することである。
【課題を解決するための手段】
【００１２】
この発明に係るチューナユニットは、それぞれ第１および第２の放送を受信する第１および第２のチューナ回路を搭載した基板と、基板を内蔵した筐体と、筐体に設けられ、第１のアンテナからの高周波信号を第１のチューナ回路に与えるための第１の端子と、筐体に設けられ、第２のアンテナからの高周波信号を第２のチューナ回路に与えるための第２の端子と、筐体に設けられ、外部と第１および第２のチューナ回路との間で信号の授受を行なうための複数の第３の端子とを備えたものである。第１および第２の端子は第１の直線に沿って１列に配置され、複数の第３の端子は第１の直線と平行な第２の直線に沿って１列に配置される。第１のチューナ回路の信号は第１の端子から第２の端子に向かう方向に流れ、第２のチューナ回路の信号は第２の端子から第１の端子に向かう方向に流れる。
【００１３】
好ましくは、第１のチューナ回路は基板の一方側表面に配置され、第２のチューナ回路は基板の他方側表面に配置されている。
【００１４】
また好ましくは、第１の放送は地上波デジタル放送であり、第２の放送は衛星デジタル放送である。
【００１５】
また好ましくは、第１のチューナ回路はＩＦ信号を出力し、第２のチューナ回路はＩＱ信号を出力する。
【００１６】
また好ましくは、さらに、基板に搭載され、ＩＦ信号およびＩＱ信号をＴＳ信号に変換して複数の第３の端子に出力する復調回路を備える。
【発明の効果】
【００１７】
この発明に係るチューナユニットでは、第１および第２のアンテナにそれぞれ接続される第１および第２の端子は第１の直線に沿って１列に配置され、外部と第１および第２のチューナ回路との間で信号の授受を行なうための複数の第３の端子は第１の直線と平行な第２の直線に沿って１列に配置され、第１のチューナ回路の信号は第１の端子から第２の端子に向かう方向に流れ、第２のチューナ回路の信号は第２の端子から第１の端子に向かう方向に流れる。したがって、第１および第２の端子の間隔を所定距離に維持したまま装置寸法の小型化を図ることができる。
【図面の簡単な説明】
【００１８】
【図１】この発明の一実施の形態によるチューナユニットの概略構成を示す図である。
【図２】図１に示したチューナユニットにおける信号の流れを示す図である。
【図３】図１および図２に示したチューナユニットの効果を説明するための図である。
【図４】図２に示した地上波デジタル放送受信用チューナ回路の構成を示す回路ブロック図である。
【図５】図２に示した衛星デジタル放送受信用チューナ回路の構成を示す回路ブロック図である。
【図６】実施の形態の変更例を示す図である。
【図７】実施の形態の他の変更例を示す図である。
【図８】図７に示したデジタル復調回路部の構成を示すブロック図である。
【図９】従来のチューナユニットの概略構成を示す図である。
【図１０】図９に示した従来のチューナユニットにおける信号の流れを示す図である。
【図１１】従来の他のチューナユニットの概略構成を示す図である。
【発明を実施するための形態】
【００１９】
図１に示すように、このチューナユニットは、長方形の板状の筐体１と、アンテナ端子（第１の端子）Ｔ１と、アンテナ端子（第２の端子）Ｔ２と、複数の外部ピン（第３の端子）Ｐを備える。アンテナ端子Ｔ１は筐体１の表面において一方の短辺の近傍に設けられ、アンテナ端子Ｔ２は筐体１の表面において他方の短辺の近傍に設けられている。複数の外部ピンＰは、筐体１の表面の１つの長辺に沿って筐体１の端面に搭載されている。また、筐体１には、図２に示すように、基板２が内蔵されている。基板２の表面側には複数の電子部品３ａなどで構成される地上波デジタル放送（第１の放送）受信用チューナ回路（第１のチューナ回路）３が搭載され、基板２の裏面側には複数の電子部品４ａなどで構成される衛星デジタル放送（第２の放送）受信用チューナ回路（第２のチューナ回路）４が搭載されている。
【００２０】
チューナ回路３は、外部から複数の外部ピンＰを介して与えられた電源電圧および制御信号によって駆動され、地上波デジタル放送受信用アンテナからアンテナ端子Ｔ１を介して与えられた高周波信号Ｓ１をＩＦ信号に変換する。ＩＦ信号は、外部ピンＰを介して外部に出力される。
【００２１】
チューナ回路４は、外部から複数の外部ピンＰを介して与えられた電源電圧および制御信号によって駆動され、衛星デジタル放送受信用アンテナからアンテナ端子Ｔ２を介して与えられた高周波信号Ｓ２をＩＱ信号に変換する。ＩＱ信号は、外部ピンＰを介して外部に出力される。
【００２２】
図３（ａ）に示すように、この実施の形態のチューナユニットでは、アンテナ端子Ｔ１，Ｔ２は筐体１の長辺に平行な直線（第１の直線）Ａに沿って１列に配置され、複数の外部ピンＰは筐体１の長辺に平行な直線（第２の直線）Ｂに沿って１列に配置されている。直線ＡとＢは互いに平行である。また、チューナ回路３において信号が流れる方向（信号処理方向）Ｃはアンテナ端子Ｔ１からアンテナ端子Ｔ２に向かう方向であり、チューナ回路４において信号が流れる方向Ｄはアンテナ端子Ｔ２からアンテナ端子Ｔ１に向かう方向である。外部とチューナ回路３，４との信号の授受の方向Ｅは、チューナ回路３，４の信号処理方向Ｃ，Ｄと直交する方向である。このようにレイアウトすることにより、アンテナ端子Ｔ１，Ｔ２の間隔を所定の距離Ｌに維持しながら、チューナユニットの小型化を実現することができた。
【００２３】
なお、好ましくは、チューナ回路３，４の信号出力端はアンテナ端子Ｔ１，Ｔ２の中間部に配置される。これにより、チューナ回路３，４間の干渉を軽減することができる。この場合は、チューナ回路３，４の両方を基板２の表面に設けてもよい。
【００２４】
また、図２に示したように、チューナ回路３を基板２の表面に設け、チューナ回路４を基板２の裏面に設けた場合は、チューナ回路３，４の出力端が上下に重なってもよい。また、チューナ回路３，４間にグランド層を配置すれば、チューナ回路３，４間の干渉を防止するとともに、チューナ回路３，４を上下に重ねることも可能となり、一層の小型化を図ることができる。
【００２５】
一方、従来のチューナユニットでは、図３（ｂ）に示すように、アンテナ端子Ｔ１，Ｔ２は筐体５１の短辺に平行な直線Ａに沿って１列に配置され、複数の外部ピンＰは筐体１の長辺に平行な直線Ｂに沿って１列に配置されている。直線ＡとＢは互いに直交している。また、チューナ回路５２，５３において信号が流れる方向（信号処理方向）Ｃ，Ｄは筐体５１の長辺の延在方向である。外部とチューナ回路５２，５３との信号の授受の方向Ｅは、チューナ回路３，４の信号処理方向Ｃ，Ｄと直交する方向である。従来のチューナユニットでは、筐体５１に無駄な領域の面積が大きくなり、チューナユニットの小型化を図ることができなかった。
【００２６】
図４は、地上波デジタル放送受信用チューナ回路３の構成を示す回路ブロック図である。図４において、チューナ回路３は、ＲＦアンプ１０、バンドパスフィルタ（ＢＰＦ）１１、局部発振回路１２、混合回路１３、ＡＤコンバータ（ＡＤＣ）１４、ＤＳＰ（Digital Signal Processor)１５、およびＤＡコンバータ（ＤＡＣ）１６を含む。
【００２７】
地上波デジタル放送受信用アンテナで受信された高周波信号Ｓ１は、アンテナ端子Ｔ１を介してＲＦアンプ１０に与えられる。ＲＦアンプ１０は、高周波信号Ｓ１を増幅する。バンドパスフィルタ１１は、増幅された高周波信号Ｓ１のうちの選局されたチャンネルの信号を抽出する。局部発振回路１２は、局部発振信号を生成する。混合回路１３は、選局されたチャンネルの信号と局部発振信号とを混合し、選局されたチャンネルの信号の周波数変換を行なう。混合回路１３の出力信号は、ＡＤコンバータ１４によってデジタル信号に変換され、ＤＳＰ１５で不要な信号成分を除去され、さらに、ＤＡコンバータ１６でＩＦ信号に変換される。チューナ回路３のうちの点線Ｆで囲まれた回路部分がＩＣ化されており、非常に小さいスペースにレイアウトすることが可能となっている。
【００２８】
また、図５は、衛星デジタル放送受信用チューナ回路４の構成を示す回路ブロック図である。図５において、チューナ回路４は、コンデンサ２０，２９，３４、ハイパスフィルタ２１、ＲＦアンプ２２，２３、ＡＧＣ(Automatic Gain Control)アンプ２４と、混合回路２５，３０、アンプ２６，２８，３１，３３，３７、ローパスフィルタ２８，３２，４３、ＡＧＣ回路３５、９０度シフタ（移相回路）３６、基準発振回路３８、ＶＣＯ(Voltage Controlled Oscillator)４１、ＰＬＬ(Phase Locked Loop)回路４２を含む。
【００２９】
衛星デジタル放送受信用アンテナで受信された高周波信号Ｓ２は、アンテナ端子Ｔ２およびコンデンサ２０をハイパスフィルタ２１に与えられる。ハイパスフィルタ２１は、高周波信号Ｓ２の周波数成分のうち所定周波数以下の成分を減衰させる。
【００３０】
ＲＦアンプ２２は、ハイパスフィルタ２１を通過した高周波信号Ｓ２を増幅する。ＲＦアンプ２３は、ＲＦアンプ２２の出力信号を増幅する。ＡＧＣアンプ２４は、ＲＦアンプ２３の出力信号を増幅する。ＡＧＣ回路３５は、ＡＧＣ信号ＡＧＣ１に基づいてＡＧＣアンプ２４のゲインを制御する。
【００３１】
混合回路２５は、ＡＧＣアンプ２４の出力信号と、９０度シフタ３６から受けた第１の局部発振信号とを乗算することにより高周波信号Ｓ２をＩＦ信号に周波数変換し、Ｉ信号として出力する。ＲＦアンプ２６は、混合回路２５の出力信号を増幅する。ローパスフィルタ２７は、ＲＦアンプ２６の出力信号の周波数成分のうちの所定周波数以上の成分を減衰させる。ＲＦアンプ２８は、ローパスフィルタ２７を通過したＩ信号を増幅し、コンデンサ２９を介して外部に出力する。
【００３２】
同様に、混合回路３０は、ＡＧＣアンプ２４の出力信号と、９０度シフタ３６から受けた第２の局部発振信号とを乗算することにより高周波信号Ｓ２をＩＦ信号に周波数変換し、Ｑ信号として出力する。ＲＦアンプ３１は、混合回路３０の出力信号を増幅する。ローパスフィルタ３２は、ＲＦアンプ３１の出力信号の周波数成分のうちの所定周波数以下の成分を減衰させる。ＲＦアンプ３３は、ローパスフィルタ３２を通過したＱ信号を増幅し、コンデンサ３４を介して外部に出力する。
【００３３】
一方、基準発振回路３８は、水晶振動子３９および発振器４０を含み、基準信号を出力する。ＶＣＯ４１は、ローパスフィルタ４３を通過したＰＬＬ回路４２からの制御信号と、基準発振回路３８から受けた基準信号とに基づいて発振し、局部発振信号を出力する。９０度シフタ３６は、ＶＣＯ４１から受けた局部発振信号を９０度の位相差を有する第１および第２の局部発振信号に分岐して混合回路２５，３０に出力する。また、９０度シフタ３６は、第１および第２の局部発振信号の少なくともいずれか一方をアンプ３７に出力する。アンプ３７は、９０度シフタ３６から受けた局部発振信号を増幅してＰＬＬ回路４２に与える。
【００３４】
ＰＬＬ回路４２は、外部制御信号ＳＣＬ１，ＳＤＡ１に含まれるＰＬＬパラメータと、アンプ３７から受けた局部発振信号とに基づいて制御信号を生成し、ローパスフィルタ４３に出力する。ローパスフィルタ４３は、ＰＬＬ回路４２から受けた制御信号の周波数成分のうち所定周波数以上の成分を減衰させる。
【００３５】
なお、図５中の点線Ｇで囲まれている部分はＩＣ化されている。また、そのＩＣ部とＲＦアンプ２２に外部から直流電圧ＶＢ２が供給される。また、外部から供給される電圧ＶＢ１は、衛星デジタル放送受信用アンテナのＬＮＢ（Low Noise Block down converter）に供給される。また、コンデンサ２０，２９，３４は、前段回路および後段回路との間の直流電圧の影響を防ぐために設けられている。
【００３６】
また、図６は、この実施の形態の変更例を示す図である。この変更例では、複数の外部ピンＰが筐体１の一方の長辺に沿って筐体１の端面に搭載され、アンテナ端子Ｔ１，Ｔ２が筐体１の他方の長辺に沿って筐体１の端面に搭載されている。この変更例でも、実施の形態と同じ効果が得られる。
【００３７】
また、図７は、この実施の形態の他の変更例を示す図である。この変更例では、筐体４５の一方側にアンテナ端子Ｔ１，Ｔ２およびチューナ回路３，４が配置され、チューナ回路３，４と複数の外部ピンＰとの間にデジタル復調回路部４６が配置される。デジタル復調回路部４６は、図８に示すように、ＡＤコンバータ４７およびデジタル復調回路４８を含み、チューナ回路３，４と同じ基板に搭載される。チューナ回路３，４で生成されたＩＦ信号およびＩＱ信号は、ＡＤコンバータ４７によってデジタル信号に変換される。ＡＤコンバータ４７で生成されたデジタル信号は、デジタル復調回路４８によってＴＳ（Transport Stream)信号に変換される。これにより、小型のＮＩＭ（Network Interface Module)チューナセットが実現される。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３９】
１，４５，５１  筐体、２  基板、３，５２  地上波デジタル放送受信用チューナ回路、３ａ，４ａ  電子部品、４，５３  衛星デジタル放送受信用チューナ回路、１０，２２，２３  ＲＦアンプ、１１  バンドパスフィルタ、１２  局部発振回路、１３，２５，３０  混合回路、１４，４７  ＡＤコンバータ、１５  ＤＳＰ、１６  ＤＡコンバータ、２０，２９，３４  コンデンサ、２１  ハイパスフィルタ、２４  ＡＧＣアンプ、２６，２８，３１，３３，３７  アンプ、２７，３２，４３  ローパスフィルタ、３５  ＡＧＣ回路、３６  ９０度シフタ、３８  基準発振回路、３９  水晶振動子、４０  発振器、４１  ＶＣＯ、４２  ＰＬＬ回路、４６  デジタル復調回路部、Ｐ  外部ピン、Ｔ１，Ｔ２  アンテナ端子。
【図１】
2010206680.tif 000003
【図２】
2010206680.tif 000004
【図３】
2010206680.tif 000005
【図４】
2010206680.tif 000006
【図５】
2010206680.tif 000007
【図６】
2010206680.tif 000008
【図７】
2010206680.tif 000009
【図８】
2010206680.tif 000010
【図９】
2010206680.tif 000011
【図１０】
2010206680.tif 000012
【図１１】
2010206680.tif 000013
【手続補正書】
【提出日】平成22年1月14日(2010.1.14)
【手続補正１】
【補正対象書類名】明細書
【補正対象項目名】０００７
【補正方法】変更
【補正の内容】
【０００７】
図９〜図１１に示した２つのチューナユニットでは、アンテナ端子Ｔ１，Ｔ２は筐体５１の短辺に平行な直線Ａに沿って１列に配置され、複数の外部ピンＰは筐体５１の長辺に平行な直線Ｂに沿って１列に配置されている。直線ＡとＢは上方から見て直交している。また、チューナ回路５２において信号が流れる方向（信号処理方向）Ｃとチューナ回路５３において信号が流れる方向Ｄとは同じ方向（筐体５１の長辺の延在方向）である。
【手続補正２】
【補正対象書類名】明細書
【補正対象項目名】００２８
【補正方法】変更
【補正の内容】
【００２８】
また、図５は、衛星デジタル放送受信用チューナ回路４の構成を示す回路ブロック図である。図５において、チューナ回路４は、コンデンサ２０，２９，３４、ハイパスフィルタ２１、ＲＦアンプ２２，２３、ＡＧＣ(Automatic Gain Control)アンプ２４と、混合回路２５，３０、アンプ２６，２８，３１，３３，３７、ローパスフィルタ２７，３２，４３、ＡＧＣ回路３５、９０度シフタ（移相回路）３６、基準発振回路３８、ＶＣＯ(Voltage Controlled Oscillator)４１、ＰＬＬ(Phase Locked Loop)回路４２を含む。
【手続補正３】
【補正対象書類名】明細書
【補正対象項目名】００２９
【補正方法】変更
【補正の内容】
【００２９】
衛星デジタル放送受信用アンテナで受信された高周波信号Ｓ２は、アンテナ端子Ｔ２およびコンデンサ２０を介してハイパスフィルタ２１に与えられる。ハイパスフィルタ２１は、高周波信号Ｓ２の周波数成分のうち所定周波数以下の成分を減衰させる。
【手続補正４】
【補正対象書類名】図面
【補正対象項目名】図４
【補正方法】変更
【補正の内容】
【図４】
2010206680.tif 000014
【手続補正５】
【補正対象書類名】図面
【補正対象項目名】図５
【補正方法】変更
【補正の内容】
【図５】
2010206680.tif 000015